(57)【特許請求の範囲】
【請求項１】
複数の導体が所定のピッチで平面状に配列されたフラット回路体と、
前記フラット回路体の先端部近傍に取り付けられるスライダと、
前記スライダが接続されるスライダ収容部と、前記スライダ収容部に臨む位置に装備されて前記スライダに取り付けられた前記フラット回路体上の各導体に接続する複数の接続端子が配列された端子配列部と、を備えたコネクタと、
を備え、前記スライダ収容部に前記スライダを接続することで、前記フラット回路体の各導体を前記端子配列部の各接続端子に電気的に接続した状態にするフラット回路体のコネクタ接続構造であって、
前記スライダは、前記フラット回路体の先端の側縁が突出するように、先端側の幅寸法が前記フラット回路体の幅寸法よりも狭く設定された先端幅狭部を備え、
前記スライダ収容部には、前記スライダの挿入時に、前記先端幅狭部から突出している前記フラット回路体の先端の側縁との接触により前記フラット回路体を位置決めする回路体位置決め面を備えたことを特徴とするフラット回路体のコネクタ接続構造。
【請求項２】
前記フラット回路体は、スライダに対して幅方向に微少移動可能に、前記スライダに取り付けられていることを特徴とする請求項１に記載のフラット回路体のコネクタ接続構造。
【発明の詳細な説明】
【技術分野】
【０００１】
本発明は、複数の導体が所定のピッチで平面状に配列されたＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）などのフラット回路体をコネクタに装備されている接続端子に接続させるフラット回路体のコネクタ接続構造に関する。
【背景技術】
【０００２】
近年、デジタルカメラ、プリンタ、携帯電話機、パソコン等の各種電子機器の内部配線材として、上記のＦＰＣやＦＦＣなどのフラット回路体を使用することが増えている。
【０００３】
図１５〜図１７は、ＦＰＣやＦＦＣなどのフラット回路体をプリント回路基板に搭載されているコネクタに接続するフラット回路体のコネクタ接続構造の従来例を示したものである。
【０００４】
図１５〜図１７に示したフラット回路体のコネクタ接続構造は、下記特許文献１に開示されたものである。
【０００５】
このフラット回路体のコネクタ接続構造は、複数の導体が所定のピッチで平面状に配列されたフラット回路体１１０と、フラット回路体１１０の先端部１１１の近傍に取り付けられるスライダ１２０と、スライダ１２０が接続されるコネクタ１３０とを備えており、スライダ１２０を図１５に矢印Ｘ１で示すようにコネクタ１３０に挿入してコネクタ１３０に接続することで、フラット回路体１１０をコネクタ１３０に接続する。
【０００６】
フラット回路体１１０は、図１７に示すように、先端部１１１の下面１１１ａに、複数の接続端子部１１２が所定の配列ピッチで露出している。
【０００７】
スライダ１２０は、図１６及び図１７に示すように、フラット回路体１１０の先端部１１１の上面に取り付けられるスライダ本体１２１と、フラット回路体１１０の下面側からスライダ本体１２１に取り付けられるカバー１２２と、を備えている。このスライダ１２０は、スライダ本体１２１とカバー１２２とでフラット回路体１１０の先端部１１１側を挟む形態に、フラット回路体１１０に取り付けられる。
【０００８】
スライダ本体１２１は、図１６及び図１７に示すように、回路体位置決め突起１２１ａと、カバー係止部１２１ｂと、ハウジング結合部１２１ｃと、を備えている。
【０００９】
回路体位置決め突起１２１ａは、図１７に示すように、スライダ本体１２１の内面に突設された突起で、フラット回路体１１０の先端部１１１に形成された位置決め穴１１３に嵌合する。
【００１０】
回路体位置決め突起１２１ａは、位置決め穴１１３に嵌合することで、フラット回路体１１０の幅方向（図１７における矢印Ｙ２方向）への移動を規制すると共に、長さ方向（図１７における矢印Ｘ２方向）への移動を規制する。
【００１１】
カバー係止部１２１ｂは、スライダ本体１２１の幅方向の両端に装備された突起で、カバー１２２の幅方向の両端に装備された係合片１２２ａ上の係合穴１２２ｂと係合することで、カバー１２２を固定する。スライダ本体１２１に先端部１１１を位置決めした後、スライダ本体１２１にカバー１２２を固定することで、フラット回路体１１０はその厚み方向への移動も規制される。
【００１２】
スライダ本体１２１及びカバー１２２には、フラット回路体１１０の先端部１１１の側縁が側方に突出しないように、先端部１１１の幅寸法よりも大きな幅寸法が設定されている。
【００１３】
ハウジング結合部１２１ｃは、スライダ本体１２１の外面に延設された係止アーム１２１１に係止突起１２１２を突設した構造で、係止突起１２１２をコネクタ１３０に装備されたスライダ係止穴１３１（図１５参照）に係合させることで、スライダ１２０をコネクタ１３０に固定する。
【００１４】
コネクタ１３０は、スライダ１２０が挿入されるスライダ収容部１３２と、スライダ収容部１３２に挿入されたスライダ１２０上の係止突起１２１２と係合することによりスライダ１２０をコネクタ１３０に固定する前述のスライダ係止穴１３１と、スライダ収容部１３２に臨む位置に装備される端子配列部１３３と、を備えている。
【００１５】
端子配列部１３３には、複数の接続端子１３３ａが規定の配列ピッチで配列されている。複数の接続端子１３３ａは、スライダ１２０に取り付けられたフラット回路体１１０上の各接続端子部１１２に導通接続させる端子である。
【００１６】
スライダ収容部１３２は、その幅方向に対向する内側面１３４によってスライダ本体１２１の両側面の位置を規制することで、スライダ１２０の幅方向の位置決めを果たす。
【００１７】
以上に説明した特許文献１におけるフラット回路体のコネクタ接続構造では、フラット回路体１１０の先端部１１１に取り付けられたスライダ１２０をスライダ収容部１３２に挿入して、スライダ１２０をコネクタ１３０に接続することで、フラット回路体１１０の各導体をコネクタ１３０における端子配列部１３３の各接続端子に電気的に接続した状態にする。
【先行技術文献】
【特許文献】
【００１８】
【特許文献１】特開２００６−８５９８９号公報
【発明の概要】
【発明が解決しようとする課題】
【００１９】
ところが、特許文献１におけるフラット回路体のコネクタ接続構造では、コネクタ１３０内の接続端子１３３ａに対するフラット回路体１１０の位置決めは、スライダ１２０を介して、間接的に行われる。
【００２０】
そのため、フラット回路体１１０における先端部１１１の寸法公差に、スライダ１２０の寸法公差が累積して、コネクタ１３０内の接続端子１３３ａに対するフラット回路体１１０の位置決め精度にバラツキが生じ易く、フラット回路体上の導体とコネクタ内の接続端子との電気的な接続の信頼性を向上させることが難しいという問題があった。
【００２１】
そこで、本発明の目的は、上記課題を解消することに係り、スライダを介してフラット回路体をコネクタに接続した際に、コネクタ内の接続端子に対する前記フラット回路体の位置決め精度のバラツキを抑えて、フラット回路体上の導体とコネクタ内の接続端子との電気的な接続の信頼性を向上させることのできるフラット回路体のコネクタ接続構造を提供することにある。
【課題を解決するための手段】
【００２２】
本発明の前述した目的は、下記の構成により達成される。
（１）複数の導体が所定のピッチで平面状に配列されたフラット回路体と、
前記フラット回路体の先端部近傍に取り付けられるスライダと、
前記スライダが接続されるスライダ収容部と、前記スライダ収容部に臨む位置に装備されて前記スライダに取り付けられた前記フラット回路体上の各導体に接続する複数の接続端子が配列された端子配列部と、を備えたコネクタと、
を備え、前記スライダ収容部に前記スライダを接続することで、前記フラット回路体の各導体を前記端子配列部の各接続端子に電気的に接続した状態にするフラット回路体のコネクタ接続構造であって、
前記スライダは、前記フラット回路体の先端の側縁が突出するように、先端側の幅寸法が前記フラット回路体の幅寸法よりも狭く設定された先端幅狭部を備え、
前記スライダ収容部には、前記スライダの挿入時に、前記先端幅狭部から突出している前記フラット回路体の先端の側縁との接触により前記フラット回路体を位置決めする回路体位置決め面を備えたことを特徴とするフラット回路体のコネクタ接続構造。
【００２３】
（２）前記フラット回路体は、スライダに対して幅方向に微少移動可能に、前記スライダに取り付けられていることを特徴とする上記（１）に記載のフラット回路体のコネクタ接続構造。
【００２４】
上記（１）の構成によれば、スライダを介してフラット回路体をコネクタに接続した際には、スライダの先端幅狭部の外側に突出するフラット回路体の先端の側縁が、コネクタに装備された回路体位置決め面に接触することで、フラット回路体が直接コネクタに位置決めされる。
【００２５】
そのため、スライダの寸法公差や、スライダとフラット回路体との間の組立誤差等が、コネクタ上でのフラット回路体の位置決め精度に影響を及ぼすことがない。
【００２６】
従って、コネクタ内の接続端子に対する前記フラット回路体の位置決め精度のバラツキを抑えて、フラット回路体上の導体とコネクタ内の接続端子との電気的な接続の信頼性を向上させることができる。
【００２７】
上記（２）の構成によれば、フラット回路体とスライダとは、幅方向に相対移動可能なため、フラット回路体及びスライダのそれぞれを個別に、かつそれぞれを直接的にコネクタに位置決めすることができ、コネクタに対するスライダの位置決め精度を向上させて、コネクタに対するスライダの取り付け性を向上させることもできる。
【発明の効果】
【００２８】
本発明によるフラット回路体のコネクタ接続構造によれば、スライダを介してフラット回路体をコネクタに接続した際には、スライダの先端幅狭部の外側に突出するフラット回路体の先端の側縁が、コネクタに装備された回路体位置決め面に接触することで、フラット回路体が直接コネクタに位置決めされる。
【００２９】
そのため、スライダの寸法公差や、スライダとフラット回路体との間の組立誤差等が、コネクタ上でのフラット回路体の位置決め精度に影響を及ぼすことがない。
【００３０】
従って、コネクタ内の接続端子に対する前記フラット回路体の位置決め精度のバラツキを抑えて、フラット回路体上の導体とコネクタ内の接続端子との電気的な接続の信頼性を向上させることができる。
【図面の簡単な説明】
【００３１】
【図１】本発明に係るフラット回路体のコネクタ接続構造で接続されるスライダとコネクタの一実施形態の分解斜視図である。
【図２】図１に示したスライダとコネクタの接続完了状態の斜視図である。
【図３】図１に示したスライダとコネクタの接続完了状態の平面図である。
【図４】図３のＡ矢視図である。
【図５】図１に示したスライダのフラット回路体を取り付ける構造の斜視図である。
【図６】図５のＢ部の拡大図である。
【図７】図５に示したスライダの裏面にフラット回路体が取り付けられた状態の斜視図である。
【図８】図１のスライダにおける先端幅狭部とフラット回路体の先端の側縁との位置関係を示すスライダの前面側からの斜視図である。
【図９】図８のＣ部の拡大図である。
【図１０】図１に示したコネクタにおけるスライダ収容部の拡大斜視図である。
【図１１】図１０のＤ部の拡大図である。
【図１２】（ａ）はスライダとコネクタとの接続前の状態におけるスライダ上のフラット回路体とスライダ収容部との位置関係を示す平面図、（ｂ）は（ａ）のＥ部の拡大図である。
【図１３】（ａ）はスライダとコネクタとの接続初期の状態におけるスライダ上のフラット回路体とスライダ収容部との位置関係を示す平面図、（ｂ）は（ａ）のＦ部の拡大図である。
【図１４】（ａ）はスライダとコネクタとの接続完了時の状態におけるスライダ上のフラット回路体とスライダ収容部との位置関係を示す平面図で図４のＨ−Ｈ断面に相当し、（ｂ）は（ａ）のＧ部の拡大図である。
【図１５】従来のフラット回路体のコネクタ接続構造を採用したスライダとコネクタの分解斜視図である。
【図１６】図１５のスライダの分解斜視図である。
【図１７】図１５に示した各部品を逆側から視た斜視図である。
【発明を実施するための形態】
【００３２】
以下、本発明に係るフラット回路体のコネクタ接続構造の好適な実施形態について、図面を参照して詳細に説明する。
【００３３】
図１〜図１４は本発明に係るフラット回路体のコネクタ接続構造の一実施形態を示したもので、図１は本発明に係るフラット回路体のコネクタ接続構造で接続されるスライダとコネクタの一実施形態の分解斜視図、図２は図１に示したスライダとコネクタの接続完了状態の斜視図、図３は図１に示したスライダとコネクタの接続完了状態の平面図、図４は図３のＡ矢視図、図５は図１に示したスライダのフラット回路体を取り付ける構造の斜視図、図６は図５のＢ部の拡大図、図７は図５に示したスライダの裏面にフラット回路体が取り付けられた状態の斜視図、図８は図１のスライダにおける先端幅狭部とフラット回路体の先端の側縁との位置関係を示すスライダの前面側からの斜視図、図９は図８のＣ部の拡大図、図１０は図１に示したコネクタにおけるスライダ収容部の拡大斜視図、図１１は図１０のＤ部の拡大図である。また、図１２（ａ）はスライダとコネクタとの接続前の状態におけるスライダ上のフラット回路体とスライダ収容部との位置関係を示す平面図、図１２（ｂ）は図１２（ａ）のＥ部の拡大図、図１３（ａ）はスライダとコネクタとの接続初期の状態におけるスライダ上のフラット回路体とスライダ収容部との位置関係を示す平面図、図１３（ｂ）は図１３（ａ）のＦ部の拡大図、図１４（ａ）はスライダとコネクタとの接続完了時の状態におけるスライダ上のフラット回路体とスライダ収容部との位置関係を示す平面図、図１４（ｂ）は図１４（ａ）のＧ部の拡大図である。
【００３４】
この一実施形態のフラット回路体のコネクタ接続構造は、図１〜図４に示すように、複数の導体が所定のピッチで平面状に配列されたフラット回路体１０と、フラット回路体１０の先端部１１の近傍に取り付けられるスライダ２０と、スライダ２０が接続されるコネクタ３０とを備えており、スライダ２０を図１に矢印Ｘ２で示すようにコネクタ３０に挿入してコネクタ３０に接続することで、フラット回路体１０をコネクタ３０に接続する。
【００３５】
フラット回路体１０は、図５に示すように、先端部１１の下面１１ａに、複数の接続端子部（後述するコネクタ３０内の接続端子に導通接続させる部位）が所定の配列ピッチで露出している。また、フラット回路体１０の先端部１１寄りの両側縁の絶縁体部には、スライダ２０に位置決めするための位置決め穴１３が貫通形成されている。
【００３６】
スライダ２０は、図５及び図６に示すように、下面が、フラット回路体１０の先端部１１の上面に重ねられる回路体載置面２１になっている。この回路体載置面２１には、フラット回路体１０を重ねた際に、フラット回路体１０上の位置決め穴１３に嵌合してフラット回路体１０を位置決めする回路体位置決め突起２２が装備されている。更に、スライダ２０の上面には、図１に示したようにハウジング結合部２３が設けられている。
【００３７】
本実施形態の場合、回路体位置決め突起２２は、図６に示すように、回路体載置面２１に突設された突起で、図７に示すように位置決め穴１３との嵌合によりフラット回路体１０を位置決めした時、回路体の長さ方向（図７の矢印Ｘ３方向）へのフラット回路体１０の移動を規制し、且つ、回路体の幅方向（図７の矢印Ｙ３方向）に対しては、スライダ２０の寸法公差分に相応する微少幅分だけフラット回路体１０の相対移動を許容するように、フラット回路体１０を位置決めする。
【００３８】
また、回路体位置決め突起２２は、図６に示すように、フラット回路体１０が回路体載置面２１から浮き上がることを防止する押え部２２ａを先端に有している。回路体位置決め突起２２は、押え部２２ａによりフラット回路体１０を回路体載置面２１に押さえ付けることで、フラット回路体１０の厚み方向（図６のＺ３方向）への移動を規制する。
【００３９】
スライダ２０の上面のハウジング結合部２３は、図１に示すようにスライダ２０の上面に延設された係止アーム２３ａに係止穴２３ｂを形成した構造である。このハウジング結合部２３は、係止穴２３ｂをコネクタ３０の上面に装備されたスライダ係止突起３１（図１０参照）に係合させることで、スライダ２０をコネクタ３０に固定する。
【００４０】
本実施形態のスライダ２０は、フラット回路体１０先端部１１に重なる先端側が、先端幅狭部２５になっている。先端幅狭部２５は、図８及び図９に示すようにフラット回路体１０の先端の両側縁１１ｂが外側に突出するように、先端側の幅寸法Ｗｓ（図５参照）がフラット回路体１０の先端部１１の幅寸法Ｗｆ（図５参照）よりも狭く設定されている。
【００４１】
コネクタ３０は、図１０及び図１１に示すように、スライダ２０が挿入されるスライダ収容部３２と、スライダ収容部３２に挿入されたスライダ２０上のハウジング結合部２３の係止穴２３ｂと係合することによりスライダ２０をコネクタ３０に固定する前述のスライダ係止突起３１と、スライダ収容部３２に臨む位置に装備される端子配列部３３と、回路体位置決め面３４と、を備えている。
【００４２】
端子配列部３３には、複数の接続端子３３ａが規定の配列ピッチで配列されている。複数の接続端子３３ａは、スライダ２０に取り付けられたフラット回路体１０上の各接続端子部１２（図５参照）に導通接続させる端子である。
【００４３】
回路体位置決め面３４は、スライダ収容部３２内において幅方向に対向する内側面であり、スライダ収容部３２へのスライダ２０の挿入時に、スライダ２０の先端幅狭部２５から突出しているフラット回路体１０の先端の側縁１１ｂとの接触によりフラット回路体１０を位置決めする。
【００４４】
なお、フラット回路体１０の側縁１１ｂの先端には、図９に示すように、スライダ収容部３２内への挿入を容易にするための面取り１１ｃが形成されている。
【００４５】
また、本実施形態の場合、コネクタ３０に対するスライダ２０自体の幅方向の位置決めは、スライダ２０に装備されたハウジング結合部２３の係止穴２３ｂとスライダ係止突起３１との係合により行われる。
【００４６】
以上に説明した一実施形態のフラット回路体のコネクタ接続構造では、図１２に示すように、フラット回路体１０の先端部１１に取り付けられたスライダ２０の先端幅狭部２５をスライダ収容部３２に向け、次いで、図１３及び図１４に示すように、先端幅狭部２５をスライダ収容部３２内に挿入して、スライダ２０をコネクタ３０に接続することで、フラット回路体１０の各導体をコネクタ３０における端子配列部３３の各接続端子３３ａに電気的に接続した状態にする。
【００４７】
スライダ収容部３２に対する先端幅狭部２５の挿入初期には、図１３（ｂ）に示すように、先端幅狭部２５の外側に突出しているフラット回路体１０の側縁１１ｂがスライダ収容部３２内の回路体位置決め面３４に接触することで、コネクタ３０に対するフラット回路体１０の幅方向の位置決めが成される。そして、図１４（ｂ）に示したスライダ収容部３２に対する先端幅狭部２５の挿入完了時には、図２〜図４に示すように、スライダ２０のハウジング結合部２３にコネクタ３０上のスライダ係止突起３１が嵌合して、スライダ２０がコネクタ３０に固定される。
【００４８】
以上に説明した一実施形態のフラット回路体のコネクタ接続構造によれば、スライダ２０を介してフラット回路体１０をコネクタ３０に接続した際には、スライダ２０の先端幅狭部２５の外側に突出するフラット回路体１０の先端の側縁１１ｂが、コネクタ３０に装備された回路体位置決め面３４に接触することで、フラット回路体１０が直接コネクタ３０に位置決めされる。
【００４９】
そのため、スライダ２０の寸法公差や、スライダ２０とフラット回路体１０との間の組立誤差等が、コネクタ３０上でのフラット回路体１０の位置決め精度に影響を及ぼすことがない。
【００５０】
従って、コネクタ３０内の接続端子３３ａに対するフラット回路体１０の位置決め精度のバラツキを抑えて、フラット回路体１０上の導体とコネクタ３０内の接続端子３３ａとの電気的な接続の信頼性を向上させることができる。
【００５１】
また、本実施形態のフラット回路体のコネクタ接続構造では、フラット回路体１０とスライダ２０とは、幅方向に相対移動可能なため、フラット回路体１０及びスライダ２０のそれぞれを個別に、かつそれぞれを直接的にコネクタ３０に位置決めすることができ、コネクタ３０に対するスライダ２０の位置決め精度を向上させて、コネクタ３０に対するスライダ２０の取り付け性を向上させることもできる。
【００５２】
なお、本発明のフラット回路体のコネクタ接続構造は、前述した実施形態に限定されるものでなく、適宜な変形、改良等が可能である。
【００５３】
例えば、前述した実施形態では、スライダへのフラット回路体の取り付けは、幅方向に相対移動可能にしたが、スライダとコネクタとの係合部にスライダの幅方向への所定の相対移動を許容する余裕を持たせることで、スライダへのフラット回路体の取り付けは幅方向への相対移動が完全に規制される構成としても良い。
【００５４】
また、前述の実施形態では、フラット回路体１０の先端部１１の両側縁１１ｂをスライダ２０の先端幅狭部２５の両端に突出しているが、先端部１１の一方の側縁１１ｂのみを先端幅狭部２５の片端に突出させて、片側の側縁１１ｂをコネクタ３０の片側の回路体位置決め面３４に当接させることで、フラット回路体１０をコネクタ３０に位置決めするようにしても良い。その場合に、残る片側は、先端幅狭部２５の他端がスライダ収容部３２の内側面に当接するようにすると良い。
【符号の説明】
【００５５】
１０  フラット回路体
１１  先端部
１１ｂ  側縁
１１ｃ  面取り
１２  接続端子部
１３  位置決め穴
２０  スライダ
２２  回路体位置決め突起
２３  ハウジング結合部
２５  先端幅狭部
３０  コネクタ
３１  スライダ係止突起
３２  スライダ収容部
３３  端子配列部
３３ａ  接続端子
３４  回路体位置決め面
【図１】
0005769589.tif 000002
【図２】
0005769589.tif 000003
【図３】
0005769589.tif 000004
【図４】
0005769589.tif 000005
【図５】
0005769589.tif 000006
【図６】
0005769589.tif 000007
【図７】
0005769589.tif 000008
【図８】
0005769589.tif 000009
【図９】
0005769589.tif 000010
【図１０】
0005769589.tif 000011
【図１１】
0005769589.tif 000012
【図１２】
0005769589.tif 000013
【図１３】
0005769589.tif 000014
【図１４】
0005769589.tif 000015
【図１５】
0005769589.tif 000016
【図１６】
0005769589.tif 000017
【図１７】
0005769589.tif 000018